(57)【要約】【課題】車両ナンバーの読み取りと定期券を併用して駐車場への入出庫を管理する駐車場管理システムに於いて、上記定期券の使い回しによる駐車場への不正入出庫が発生しないようにする。【解決手段】入庫口で認識された車両ナンバーが登録済み車両ナンバーと合致した場合は、認識した車両ナンバーを出庫時のマッチングデータとして出庫口側に配信する。定期券を用いて車両を入庫させた場合は、定期券ＩＤから特定化された車両ナンバーを出庫時のマッチングデータとして出庫口側に配信する。【選択図】　　　図１
2004030490.tif 000002
【特許請求の範囲】
【請求項１】
駐車場の入庫口で入庫車両の車両ナンバーを認識し、認識された車両ナンバーが予め登録された登録済み車両ナンバーと合致する場合は入庫を許可し、登録済み車両ナンバーに合致しないか又は認識できない場合は、定期券による入庫処理に移行して、使用された定期券が予め登録されている定期券であれば入庫を許可するように構成した駐車場管理システムであって、
上記認識された車両ナンバーが登録済み車両ナンバーと合致して入庫が許可された場合に、認識された車両ナンバーを出庫時に於ける車両ナンバー照合用のマッチングデータとして出庫側の処理部へ配信する一方、上記定期券による入庫が許可された場合には、定期券のＩＤから特定された登録済み車両ナンバーを、出庫時に於ける車両ナンバー照合用のマッチングデータとして上記出庫側の処理部へ配信するように構成したことを特徴とする駐車場管理システム。
【請求項２】
入庫口で認識された車両ナンバーが、予め登録されている登録済み車両ナンバーと合致しないか又は認識できない場合に、駐車券を発券して、認識された車両ナンバー及び駐車券情報を、出庫時に於ける車両照合用のマッチングデータとして出庫側の処理部へ配信するように構成したことを特徴とする請求項１に記載の駐車場管理システム。
【請求項３】
出庫口で認識される車両ナンバーが、前記出庫口に於ける車両ナンバー照合用のマッチングデータと合致した場合は出庫が許可され、合致しない場合は前記定期券又は駐車券を用いた出庫処理に移行するように構成したことを特徴とする請求項１又は２に記載の駐車場管理システム。
【請求項４】
入庫時並びに出庫時に車両ナンバーのマッチングが行われた場合と、行われなかった場合とによって、夫々ＯＫマークとＮＧマークを記憶するか、又は、ＯＫとＮＧの記号表示あるいは音声出力を行い、入庫時と出庫時のいずれもがＮＧである場合は、車両の出庫を阻止するか、警報を発する等の出庫停止処置を講じるように構成したことを特徴とする請求項１、２又は３に記載の駐車場管理システム。
【請求項５】
駐車場の入庫口で入庫車両の車両ナンバーを認識し、認識された車両ナンバーが予め登録された登録済み車両ナンバーと合致する場合は入庫を許可し、登録済み車両ナンバーに合致しないか又は認識できない場合は、定期券による入庫処理に移行して、使用された定期券が予め登録されている定期券であれば入庫を許可するように構成した駐車場管理システムであって、
定期契約済みの定期車両の車両ナンバーを登録することができるデータベース登録手段を備えた中央処理部と、駐車場の入庫口で認識された車両ナンバーと上記定期車両の登録済み車両ナンバーとのマッチングを行う入口用マッチング処理部と、出庫口で認識された車両ナンバーに基づいて、出庫車両の車両ナンバーと登録済み車両ナンバーとのマッチングを行う出口用マッチング処理部とによって構成され、
上記入庫時に認識された車両ナンバーが、予め登録されている前記定期車両の車両ナンバーと合致した場合は、車両の入庫を許可すると共に、上記認識された車両ナンバーを、出庫用のマッチングデータとして前記中央処理部を経て出口用マッチング処理部に配信し、上記入庫時に認識された車両ナンバーが、予め登録されている前記定期車両の車両ナンバーと合致しないか、又は、当該車両ナンバーを認識できなかった場合は、定期券を用いた入庫処理に移行すると共に、定期券に記録されているＩＤに基づいて特定化された登録済み車両ナンバーを、出庫用のマッチングデータとして上記の中央処理部を経て上記の出口用マッチング処理部に配信するように構成したことを特徴とする駐車場管理システム。
【請求項６】
出庫口の出口用マッチング処理部にて処理されたマッチングデータを、入口用マッチング処理部へ配信するように構成したことを特徴とする請求項１、２、３、４又は５に記載の駐車場管理システム。
【発明の詳細な説明】
【０００１】
【発明の属する技術分野】
本発明は、駐車場への車両の入庫と出庫に際して、車両ナンバー（ナンバープレート）を読取って認識し、認識した車両ナンバーに基づいて入出庫の管理を行うように工夫した駐車場管理システムに関するものである。
【０００２】
【従来の技術】
特開平９−２９７９００号には、月極等の定期車両に対し、車両の入出庫に際して車両ナンバーを読み取って、予め登録されている車両ナンバーと一致すれば、車両の入出庫を許可するように構成した駐車場システムに関する記載がある。
また、特開昭５８−１８６８８８号には、定期券を使用して駐車場の入出庫を管理するように構成した駐車場に於ける入出庫制御装置に関する記載がある。
更に特開２０００−１８２１４７号には、駐車券に対して入庫時に撮像した車両ナンバーを記録して、駐車券番号と車両ナンバーとを対応させて記憶すると共に、出庫口に於いて車両ナンバーを読み取り、対応する駐車券番号の料金精算が完了していれば、出庫を許可するように構成した駐車場入退場の管理装置に関する記載がある。
【０００３】
上記特開平９−２９７９００号及び特開２０００−１８２１４７号に記載の装置によれば、車両ナンバーの読み取りによって車両の入出庫を正確に管理することが可能であるが、例えば、駐車場の入庫口に２台の車両が前後に重なって入庫して来た場合に、後側の車両の車両ナンバーを読み取ることがてきないケースが発生し、後側の車両を駐車場へ入庫及び出庫させることができないトラブルが発生する問題があった。
【０００４】
そこで、上記特開昭５８−１８６８８８号に記載の方法、つまり定期券を併用することにより、車両ナンバーが読み取れなかった場合でも、定期券を挿入することで車両の入庫を可能にしたバックアップ手段を講じるシステムが考えられた。
この定期券を併用するシステムによれば、無人管理システムの弱点である上記車両ナンバーの読み取りが出来ないことが原因で発生する入庫及び出庫不可能の問題点を克服することができる。
【０００５】
【発明が解決しようとする課題】
ところが、上記車両ナンバーの読み取りと定期券を併用した駐車場では、定期券を悪用した駐車場の不正使用が発生する問題があった。
つまり、定期契約を結んだ定期車両以外の一般車両は、ナンバー登録されていないため当然入庫が拒否されることになるが、このような場合でも入庫口に於いて読み取り不良（不確認）の一種として取扱われて、他人の定期券を借りれば車両を定期車両として入庫させることができ、よって、定期券の使い回しによって定期車両以外の一般車両を不正に、且つ、自由に入出庫できる問題があった。
【０００６】
従って本発明の技術的課題は、車両ナンバーの読み取りと定期券を併用して駐車場への入出庫を管理する駐車場管理システムに於いて、上記定期券の使い回しによる駐車場への不正入出庫が発生しないようにすることである。
【０００７】
【課題を解決するための手段】
上記の技術的課題を解決するために本発明で講じた手段は以下の如くである。
【０００８】
（１）　駐車場の入庫口で入庫車両の車両ナンバーを認識し、認識された車両ナンバーが予め登録された登録済み車両ナンバーと合致する場合は入庫を許可し、登録済み車両ナンバーに合致しないか又は認識できない場合は、定期券による入庫処理に移行して、使用された定期券が予め登録されている定期券であれば入庫を許可するように構成した駐車場管理システムであって、上記認識された車両ナンバーが登録済み車両ナンバーと合致して入庫が許可された場合に、認識された車両ナンバーを出庫時に於ける車両ナンバー照合用のマッチングデータとして出庫側の処理部へ配信する一方、上記定期券による入庫が許可された場合には、定期券のＩＤから特定された登録済み車両ナンバーを、出庫時に於ける車両ナンバー照合用のマッチングデータとして上記出庫側の処理部へ配信するように構成すること。（請求項１）
【０００９】
（２）　入庫口で認識された車両ナンバーが、予め登録されている登録済み車両ナンバーと合致しないか又は認識できない場合に、駐車券を発券して、認識された車両ナンバー及び駐車券情報を、出庫時に於ける車両照合用のマッチングデータとして出庫側の処理部へ配信するように構成すること。（請求項２）
【００１０】
（３）　出庫口で認識される車両ナンバーが、前記出庫口に於ける車両ナンバー照合用のマッチングデータと合致した場合は出庫が許可され、合致しない場合は前記定期券又は駐車券を用いた出庫処理に移行するように構成すること。（請求項３）
【００１１】
（４）　入庫時並びに出庫時に車両ナンバーのマッチングが行われた場合と、行われなかった場合とによって、夫々ＯＫマークとＮＧマークを記憶するか、又は、ＯＫとＮＧの記号表示あるいは音声出力を行い、入庫時と出庫時のいずれもがＮＧである場合は、車両の出庫を阻止するか、警報を発する等の出庫停止処置を講じるように構成すること。（請求項４）
【００１２】
（５）　駐車場の入庫口で入庫車両の車両ナンバーを認識し、認識された車両ナンバーが予め登録された登録済み車両ナンバーと合致する場合は入庫を許可し、登録済み車両ナンバーに合致しないか又は認識できない場合は、定期券による入庫処理に移行して、使用された定期券が予め登録されている定期券であれば入庫を許可するように構成した駐車場管理システムであって、定期契約済みの定期車両の車両ナンバーを登録することができるデータベース登録手段を備えた中央処理部と、駐車場の入庫口で認識された車両ナンバーと上記定期車両の登録済み車両ナンバーとのマッチングを行う入口用マッチング処理部と、出庫口で認識された車両ナンバーに基づいて、出庫車両の車両ナンバーと登録済み車両ナンバーとのマッチングを行う出口用マッチング処理部とによって構成され、上記入庫時に認識された車両ナンバーが、予め登録されている前記定期車両の車両ナンバーと合致した場合は、車両の入庫を許可すると共に、上記認識された車両ナンバーを、出庫用のマッチングデータとして前記中央処理部を経て出口用マッチング処理部に配信し、上記入庫時に認識された車両ナンバーが、予め登録されている前記定期車両の車両ナンバーと合致しないか、又は、当該車両ナンバーを認識できなかった場合は、定期券を用いた入庫処理に移行すると共に、定期券に記録されているＩＤに基づいて特定化された登録済み車両ナンバーを、出庫用のマッチングデータとして上記の中央処理部を経て上記の出口用マッチング処理部に配信するように構成すること。（請求項５）
【００１３】
（６）　出庫口の出口用マッチング処理部にて処理されたマッチングデータを、入口用マッチング処理部へ配信するように構成すること。（請求項６）
【００１４】
上記（１）と（５）で述べた請求項１及び５に係る手段によれば、車両ナンバーの認識による入出庫管理に代えて、定期券を用いて車両の入出庫を管理する場合に、定期券に記録されているＩＤに基づいて特定化された登録済み車両ナンバーを、出庫時に於ける車両ナンバー照合用のマッチングデータとして用いるため、定期券の使い回しによって不正に入庫した車両を出庫させる場合は、出庫口で認識した車両ナンバーと上記登録済み車両ナンバーが不一致と成って、上記不正入庫車両を定期券では出庫させることができなくなるので、定期券の不正使用を防止することが可能となる。
【００１５】
上記（２）で述べた請求項２に係る手段によれば、駐車券の発券によって定期車両以外の一般車両の駐車を可能にすると共に、その場合でも、入庫口で車両ナンバーを認識（撮像）して、その認識データを駐車券情報と共に出庫時のマッチングデータとして使用するため、駐車料金の精算を事前精算機で済ませた車両に付いては、出庫口に於いて車両ナンバーの認識のみで出庫することが可能となるから、出庫口での車両の流れをスムーズにすることを可能にする。
【００１６】
上記（３）で述べた請求項３に係る手段によれば、出庫口側には、入庫口に於けるマッチングによって正常に入庫を済ませた車両（定期車両）の登録済み車両ナンバーと、マッチングが成されないために定期券を用いて入庫した場合に於ける当該定期券のＩＤから特定化された登録済み車両ナンバーと、定期車両以外の一般車両が入庫した際に認識された一般の車両ナンバーと、から成る３種類の車両ナンバー（データ）が届いており、出庫口で認識された車両ナンバーがこれ等３種の車両ナンバーのいずれかと一致すれば、無条件で出庫が許可されるが、一致しない場合には定期券、又は、駐車券による出庫処理に移行するため、不正の防止と、出庫口での処理をスムーズに行うことを可能にする。
【００１７】
上記（４）で述べた請求項４に係る手段によれば、入庫時並びに出庫時に於いて、マッチングが行われた場合と行われなかった場合によってそれぞれＯＫマーク、ＮＧマークを記憶するか、又は、記号表示或は音声出力を行い、入庫時並びに出庫時のいずれもＮＧの場合には、車両の出庫を阻止するか、又は、警報を発する等の出庫停止処置を行うので、係員における不正防止の取扱いがし易くなる。
【００１８】
上記（６）で述べた請求項６に係る手段によれば、出庫口側で得た定期券を用いた不正出庫データを含む各種の出庫データを入庫口側に配信して、不正履歴のある当該定期券の次の使用に備えることができるため、車両ナンバー読み取り不良等のトラブルをバックアップするために併用されていた定期券の利用を監視して、この定期券を悪用した不正駐車を予防することができる。
【００１９】
【発明の実施の形態】
以下に上述した本発明に係る駐車場管理システムの実施の形態を図面と共に説明すると、図１は本発明を実施した駐車場の構成図で、図中、ＰＫは駐車スペース、ＰＮとＰＵはその入庫通路と出庫通路、ＯＭ，ＯＭ′は入庫する車両と出庫する車両、ＴＳＢは入庫口と出庫口に設けたビームセンサー方式の車両検知センサー、ＴＳＬは同じく入庫口と出庫口に設けたループコイル式のゲートクローズ用車両検知センサーであって、各通路ＰＮとＰＵには以下に述べる入庫システムと出庫システムが設けられている。
【００２０】
即ち、ＴＤは入庫車両ＯＭに対して入庫時刻を記録した駐車券（図示省略）を発券する駐車券発券機、ＡＧは入口ゲートバーＡＰを開閉作動する入口ゲート開閉機、ＶＩＳは入庫車両ＯＭの車両ナンバー（ナンバープレート）を撮像するＣＣＤカメラＣＲと、撮影用ライトＮＬとライト用センサーＳＳによって構成された入口ナンバープレート読取機（ビークルイメージシステム）、ＶＴは上記のＣＣＤカメラＣＲとライトＮＬ及びセンサーＳＳを、入庫通路ＰＮの上に支持して撮影を可能にする支持台であって、これ等各車両検知センサーＴＳＢとＴＳＬから成るトリガーセンサーＴＳと、駐車券発券機ＴＤと、入口ナンバープレート読取機ＶＩＳと、入口ゲート開閉機ＡＧによって、上述した入庫システムが構成されている。
【００２１】
図２は本発明の電気的構成を説明したブロック図であって、この図面に示されているように、上記の入庫システムを構成するトリガーセンサーＴＳと、入口ナンバープレート読取機ＶＩＳと、駐車券発券機ＴＤは、いずれも通信線ＲＳ…を介してビークルイメージカプチャーアプリケーションプロセッサー（ＶＩＣ−ＡＰ）と、モジュールＣＭを備えた入口マッチングコンピュータＭＣに接続されている。
【００２２】
上記の入口用マッチングコンピュータＭＣは、駐車場側の中央演算処理部であるマッチングサーバＭＳに通信網ＥＴを介して接続され、且つ、マッチングサーバＭＳにはシステムアプリケーションＡＰと、データベースＤＢと、モジュールＣＭが具備されている。
【００２３】
また、ＥＰＳは出庫車両ＯＭ′の出庫に際して上述した駐車券を挿入することにより、駐車料金の算出と精算を行なう駐車料金精算機、ＢＧは出口ゲートバーＢＰを開閉作動する出口ゲート作動機であって、出庫通路ＰＵにも前記入庫通路ＰＮに設けたものと同じ車両検知センサーＴＳＢとＴＳＬから成るトリガーセンサーＴＳが設けられ、更に、出庫車両ＯＭ′の車両ナンバーを撮像するためのＣＣＤカメラＣＲとライトＮＬとセンサーＳＳを備えた出口ナンバープレート読取機ＶＩＳ′（ビークルイメージシステム）が、支持台ＶＴによって出庫通路ＰＵの上に支持された状態で設けられていて、これ等駐車料金精算機ＥＰＳ又は出口読取機ＬＧ（図２参照）と、出口ゲート作動機ＢＧと、トリガーセンサーＴＳと、出口ナンバープレート読取機ＶＩＳ′によって、前述した出口システムが構成されていると共に、これ等の構成部材が夫々前記入口マッチングコンピュータＭＣと同じ構成の出口マッチングコンピュータＭＣ′に各通信線ＲＳ…を介して接続され、出口マッチングコンピュータＭＣ′は通信網ＥＴを介して前述のマッチングサーバＭＳに接続されている。
【００２４】
更に図中、ＣＰＳは駐車スペースＲＫ、又は、駐車スペースＲＫに付随するエリア内に設置した駐車料金を出庫前に精算処理することができる事前精算機であって、図３はその一例を示した全体の正面図、図４は電気的構成を説明したブロック図で、事前精算機ＣＰＳは通信線ＲＳ又は通信網を介して前述したマッチングサーバＭＳに接続されている。
【００２５】
図３に於いて、１は事前精算機ＣＰＳの操作パネル、２は表示器、３Ａはマイク、３Ｂは各種のメツセージを音声出力するスピーカ、４Ｍは入庫時に受取った駐車券の挿入口、５Ｍは紙幣投入口、６Ｍは硬貨投入口、７Ａは釣銭用紙幣の払出口、７Ｂは釣銭用硬貨の払出口、１８は各種データの入力や計算に用いるテンキーであって、上記の駐車券挿入口４Ｍに入庫時に受け取った駐車券を挿入すると、駐車券の磁気ストライブＳＴに書き込まれている入庫時刻が読取られ、且つ、駐車料金が演算されて、この駐車料金が表示器２に表示される仕組に成っている。
【００２６】
次いで、この駐車料金を利用者が紙幣及び硬貨を各投入口５Ｍ，６Ｍに投入することによって精算を済ませると、精算済みの記録（出庫許可記録）を書き込んだ駐車券が上記の挿入口４Ｍに送り戻され、また、釣銭がある場合は各払出口７Ａ，７Ｂに紙幣又は硬貨を払い戻して精算処理を終える仕組に成っている。
【００２７】
図４は、上述した事前精算機ＣＰＳの電気的構成を説明したブロック図であって、１０はシステムプログラムを格納したメモリ、１１は制御部の中心を構成するとＣＰＵ、１３はこれ等ＣＰＵ１１とメモリ１０の間にバス１２を介して接続したインターフエイス回路で、このインターフエイス回路１３には、上述した表示器２と、各種の案内やメッセージを放送するスピーカ３Ｂと、挿入口４Ｍに挿入された駐車券や、割引券、プリペイドカード、クレジットカード或はバンクカード（いずれも図示省略）に記録されている各種のデータを読取るためのカードリーダ４Ｒが接続されている。
【００２８】
更に上記のインターフエイス回路１３には、表示器に表示する内容を記憶するためのパソコン１４や、利用者や車輌を検知する検知器１５、領収書発行用のプリンター１６、硬貨投入口６Ｍに投入された硬貨を選別するコインセレクター６Ｓ、紙幣投入口５Ｍに投入された紙幣を選別する紙幣リーダー５Ｒ、払出口７Ａ，７Ｂに釣銭を払い出す釣銭払出機７、挿入口４Ｍに挿入されたクレジットカードの情報を前述したマッチングサーバＭＳへ出力して照会する外部出力装置１７、及び、各種データ入力用のテンキー１８が接続されていて、夫々がメモリ１０に格納されているプログラムに従ってＣＰＵ１１によって制御作動される仕組に成っている。
尚、前述した出庫口に設ける駐車料金精算機ＥＰＳは、上述した事前精算機ＣＰＳと構造がほぼ同一であるため、その構造の説明は省略する。
【００２９】
以上の如く構成した本発明に係る駐車場管理システムによれば、前記入庫通路ＰＮに設けた入口ナンバープレート読取機ＶＩＳが認識した入庫車両ＯＭの車両ナンバーが、予めマッチングサーバＭＳに登録済みの契約車両（定期車両）のものである場合は、駐車券を発行せずにそのまま入口ゲートバーＡＰを開いて車両ＯＭの入庫を可能と成し、定期車両でない場合は駐車券を発行し、入場者がその駐車券を抜き取ると入口ゲートバーＡＰが開いて入庫を可能と成し、出庫時にはこの駐車券を用いて駐車料金を精算することで、出口ゲートバーＢＰを開いて出庫を可能とする方式が採用されている。尚、上記定期車両の場合は、出庫口で車両ナンバーを認識するだけで、出庫することができる。
【００３０】
また、本発明に係る駐車場管理システムによれば、上記入庫通路ＰＮに設けた入口ナンバープレート読取機ＶＩＳが読み取った入庫車両ＯＭの車両ナンバーがマッチングナンバーＭＳに登録されている定期車両の車両ナンバーの中に存在しない場合（登録済み車両ナンバーに合致しない場合）、又は、上記入口ナンバープレート読取機ＶＩＳによる車両ナンバーの読み取りが出来なかった場合には、予め定期契約者に渡してある定期券（図示省略）を用いることによって、入庫を可能にする仕組に成っている。
【００３１】
定期券には、当該契約者の個人情報に加えて、少くとも契約済み定期車両の車両ナンバーを含むＩＤが記録されていて、入庫に際してこの定期券を駐車券発券機ＴＤに設けた専用の差込口に差込むと、これ等各記録データが読み取られて、予めマッチングサーバＭＳに登録されている適正な定期券であると確認された場合に、入口ゲートバーＡＰが開いて入庫車両ＯＭの入庫を可能にすると共に、更にこの定期券を持たない一般車両に対しては、上述の如く駐車券発券機ＴＤが駐車券を発券する仕組に成っている。
【００３２】
更に本発明では、上記定期車両が車両ナンバーを正常に認識されて入庫する場合は、入口ナンバープレート読取機ＶＩＳが読み取った車両ナンバーが、出庫時に於ける車両ナンバー照合用（マッチング用）のマッチングデータとして、前記マッチングサーバＭＳを経由して出口マッチングコンピュータＭＣ′に配信され、また、定期券を用いて車両ＯＭを入庫させる場合は、定期券のＩＤの読み取りから特定化された定期車両の車両ナンバーが、同じく出庫時に於けるマッチングデータとして、上記のマッチングサーバＭＳを経由して出口マッチングコンピュータＭＣ′に配信される。更に、駐車券を用いて一般車両が入庫する場合は、上記入口ナンバープレート読取機ＶＩＳが読み取った当該一般車両の車両ナンバーが、同じく出庫時に於けるマッチングデータとして出口マッチングコンピュータＭＣ′に配信される。
【００３３】
以上述べた３種類の方法で入庫させた車両を出庫させるには、先ず車両ナンバーが適正に認識及び照合されて正常に入庫された定期車両に付いては、出口ナンバープレート読取機ＶＩＳ′による車両ナンバーの認識と、出口マッチングコンピュータＭＣ′による車両ナンバーのマッチングのみによって、出口ゲートバーＢＰを開いて出庫させることができる。
【００３４】
また、駐車券を用いて入庫した一般車両に付いては、入庫時に受け取った駐車券か、又は、事前精算機ＣＰＳを用いて事前に精算を済ませた場合には、精算済みの記録を書き込んだ駐車券を出庫口の駐車料金精算機ＥＰＳのカード差込口に差込むと、出口用マッチングコンピュータＭＣ′に配信されているマッチングデータ（車両ナンバーと駐車券情報）と、出口ナンバープレート読取機ＶＩＳ′が認識した当該車両の車両ナンバーと、駐車料金精算機ＥＰＳが読み取った駐車券情報とを照合（マッチング）して、マッチングが適正な場合は、駐車料金の精算を待って、出口ゲートバーＢＰを開いて車両の出庫を可能にする。
【００３５】
更に本発明に於いて、定期券を用いて入庫した車両を出庫させる場合は、出庫口に設けた駐車料金精算機ＥＰＳのカード差込口に定期券を差込むと、出口マッチングコンピュータＭＣ′に配信されているマッチングデータ（定期券のＩＤによって特定化された車両ナンバー）と、出口ナンバープレート読取機ＶＩＳ′が認識した当該車両の車両ナンバーの照合（マッチング）が成されて、ＯＫの場合は出口ゲートバーＢＰが開いて出庫を許可する仕組に成っている。
【００３６】
図５は、上記定期券を用いて車両を出庫する場合に於いて、上記駐車料金精算機ＥＰＳの表示部２Ｋに表示される上記マッチング状況の表示例を示した説明図であって、図中、２Ａで示した画面は入口と出口の両方で定期照合がＯＫの場合の表示例で、この場合は画面の下部に２つのＯＫマーク（〇印マーク）ＰＮａとＰＵａが並べて表示される。
また、符号２Ｂで示した画面は、入口と出口の両方で定期照合がＮＧの場合の表示例で、この場合は画面下側に２つのＮＧマーク（×印マーク）ＰＮａ′とＰＵａ′が並べて表示される。
また、符号２Ｃで示した画面は、入口の定期照合がＯＫで出口の定期照合がＮＧの場合の表示例で、この場合は画面下側にＯＫマークＰＮａとＮＧマークＰＵａ′が並べて表示され、更に符号２Ｄで示した画面は、入口の定期照合がＮＧで出口の定期照合がＯＫの場合の表示例で、この場合は画面下側にＮＧマークＰＮａ′とＯＫマークＰＵａが並べて表示されるものであって、これ等の表示画面２Ａ〜２Ｄを見ることによって、定期券を用いた場合に於ける出庫の可否をドライバー自身が確認することができる。
【００３７】
即ち、表示画面２Ａは出庫可能であり、表示画面２Ｃ，２Ｄは、夫々出口あるいは入口に於ける定期照合に失敗はあるが、出庫可能と判定され、表示画面２Ｂは出庫不可能の判定が成されたものであって、表示画面２Ｂの場合は定期券の不正使用（使い回し）の確率が高いため、係員を呼出して不正の有無を確認させる仕組に成っている。
【００３８】
従って本発明に係る駐車場管理システムによれば、定期券を用いて車両を入庫及び出庫させる場合に、定期券のＩＤに記録されている定期車両の車両ナンバー以外の車両ナンバーが認識された場合は、車両の出庫が阻止されるため、定期券の使い回しによって定期車両以外の車両を無料で出庫させる不正駐車を防止することができるのであるが、次に、上述した本発明による入庫と出庫の処理手順を図６並びに図７に示したフローチャートに従って説明する。
【００３９】
図６は入庫時の処理フローを説明したものであって、ステップＳ１では入口ナンバープレート読取機ＶＩＳによって入庫車両ＯＭの車両ナンバーを認識（撮像）して、予めマッチングサーバＭＳに登録されている定期契約済み定期車両の車両ナンバーとの照合を行う。
【００４０】
照合の結果、ステップＳ２で敷居値を超えた（合致した）と判定された場合は、ステップＳ８に進んで正当な定期車両の入庫と認めて、その車両ナンバーを含む各種入庫情報を出庫時のマッチングデータとしてマッチングサーバＭＳを経由して出口マッチングコンピュータＭＣ′に配信して、入庫処理を行うが、敷居値を超えない（合致しない）と判定された場合は、次のステップＳ３に進む。
【００４１】
ステップＳ３では、車両ナンバーの照合に失敗した場合であっても、駐車券又は定期券にて入庫できる旨を、入庫口に設置した駐車券発券機ＴＤが表示器及び音声にてガイダンスする。次のステップＳ４では、駐車券発券機ＴＤの駐車発券ボタン（図示省略）が押されたか否かが判定され、押された場合はステップＳ９に進んで駐車券を発券し、一般車両として入庫処理を行うと共に、入口マッチングコンピュータＭＣがその駐車券情報（入庫時刻等）と、上記入口ナンバープレート読取機ＶＩＳが読み取った車両ナンバーを、出庫時のマッチングデータとしてマッチングサーバＭＳを経由して出口マッチングコンピュータＭＣ′に配信するが、押さない場合はステップＳ５に進む。
【００４２】
ステップＳ５では、定期券を駐車券発券機ＴＤのカード差込口（図示省略）に挿入したか否かが判定され、挿入した場合はステップＳ６に進んで定期券を用いた定期車両の入庫処理に移行して、入口マッチングコンピュータＭＣが上記入口ナンバープレート読取機ＶＩＳが読み取った当該車両の車両ナンバーと、定期券を使用したことのステータスをマッチングサーバＭＳに配信し、次いで、ステップＳ７に進んでマッチングサーバＭＳが出口マッチングコンピュータＭＣ′に対して定期登録されている車両ナンバーであることと、定期券を使用した入庫であることのステータス、及び、定期券情報を配信して入庫処理を終える。
【００４３】
図７は、上記図６に示したフローチャートに従って駐車券又は定期券を用いて車両の入庫処理を行い、その後、出庫口より当該車両を出庫させる場合の処理手順を説明したフローチャートを示したものであって、先ず、ステップＳ１０で出庫車両ＯＭ′の車両ナンバーを出口ナンバープレート読取機ＶＩＳ′に読み取らせて、出口マッチングコンピュータＭＣ′に配信されている車両ナンバーと、この読み取った車両ナンバーのマッチング（照合）を行い、次のステップＳ１１に進む。
【００４４】
ステップＳ１１では、出口マッチングコンピュータＭＣ′に登録済みの定期車両又は駐車券の車両ナンバーとの照合の結果、当該コンピュータＭＣ′によって敷居値を超えたか否かが判定され、超えた（合致した）場合はステップＳ１８に進んで、出口マッチングコンピュータＭＣ′に登録されている当該定期券情報又は駐車券情報の消し込みと、マッチングサーバＭＳへのその旨の配信を行い、且つ、マッチングサーバＭＳが当該車両を出庫扱いとする。
【００４５】
更に上記ステップＳ１１では、当該出庫車両ＯＭ′が定期車両である場合は、マッチングサーバＭＳは入口マッチングコンピュータＭＣに対して定期車両の車両ナンバーと定期券情報から成る出庫時の情報を配信して、次に当該定期車両が駐車する場合の認識資料とする。ここで、出庫口に設置した駐車料金精算機ＥＰＳの表示部２Ｋには、出庫車両が定期車両の時に図５に示した画面２Ａ又は２Ｄに示すように、２つのＯＫマークＰＮａとＰＵａ、即ち、〇，〇を並べて表示するか、ＮＧマークＰＮａ′とＯＫマークＰＵａ、即ち、×，〇が並べて表示されて、照合の状況を認識可能にするが、入庫車両が一般車両の場合はこれ等の表示は行わずに、料金精算を済ませると出庫可能にする。
【００４６】
また、前記ステップＳ１１で敷居値を超えない（合致しない）と判定された場合は、ステップＳ１２に進んで駐車料金精算機ＥＰＳが駐車券又は定期券の挿入を表示又は音声にてガイダンスする。この時、出口マッチングコンピュータＭＣ′での車両ナンバーの照合がＮＧであるから、表示部２Ｋには１つのＮＧマークＰＵａ′、即ち、×が表示される。
【００４７】
次のステップＳ１３では、駐車券又は定期券の挿入があったか否かが判定され、次のステップＳ１４で挿入された券が駐車券である場合はステップＳ１９に進み、定期券である場合はステップＳ１５に進む。
【００４８】
上記のステップＳ１９では、駐車料金精算機ＥＰＳが出口マッチングコンピュータＭＣ′に対して読み取った駐車券情報を配信して、その駐車券情報に基づいて出庫車両ＯＭ′を一般車両として出庫処理を行うと共に、駐車料金精算機ＥＰＳは出庫処理したことのステータスを出口マッチングコンピュータＭＣ′に配信し、出口マッチングコンピュータＭＣ′はその車両ナンバーの消し込みを行って、その旨をマッチングサーバＭＳに配信し、当該車両を出庫扱いにする。
【００４９】
上記のステップＳ１５では、駐車料金精算機ＥＰＳが定期券情報を出口マッチングコンピュータＭＣ′に送り、出口マッチングコンピュータＭＣ′は定期車両情報に基づいて登録されている車両ナンバーを駐車料金精算機ＥＰＳに送って、次のステップＳ１６に進む。
【００５０】
ステップＳ１６では、駐車料金精算機ＥＰＳが出口マッチングコンピュータＭＣ′から配信された定期券使用のステータスに基づいて、当該定期車両が入庫口で定期券を使用して入庫したか否かを判定し、使用していない場合はステップＳ２０に進み、使用している場合はステップＳ１７に進む。
【００５１】
上記のステップＳ２０では、出庫時に定期券を使用していなくても、入庫時の照合ではＯＫであったため、定期車両として取扱って、出口マッチングコンピュータＭＣ′に登録されている車両ナンバーと定期券情報の消し込みを行い、出口マッチングコンピュータＭＣ′はその旨をマッチングサーバＭＳに配信し、マッチングサーバＭＳは当該車両を出庫扱いにする。また、当該車両が次回入庫する時に入口マッチングコンピュータＭＣに読み取り認識させるために、マッチングサーバＭＳが入口マッチングコンピュータＭＣに当該車両ナンバーと定期券情報を配信する。ここで、駐車料金精算機ＥＰＳの表示部２Ｋには、図５に於いて符号２Ｃで示した画面の如くＯＫマークＰＮａとＮＧマークＰＵａ′を並べた〇と×が表示される。
【００５２】
また、上記のステップＳ１７では、駐車料金精算機ＥＰＳの表示部２Ｋに、図５に於いて符号２Ｂで示した画面の如く２つのＮＧマークＰＮａ′，ＰＵａ′、即ち、×，×を表示して、出庫処理を停止し、その定期券を上記精算機ＥＰＳに格納した状態のまま、係員の呼び出しを行って、係員による定期券の確認を行うことができる。
【００５３】
【発明の効果】
以上述べた如く、本発明に係る駐車場管理システムによれば、定期契約を結んでいる定期車両以外の一般車両を定期券を用いて出庫させようとしても、出庫が阻止されてしまうため、定期券の使い回しによる駐車場の不正な利用を防止して、定期券の不正使用による損失を無くすことができる。
【図面の簡単な説明】
【図１】本発明に係る駐車場管理システムの全体を示した構成図。
【図２】本発明の電気的構成を説明したブロック図。
【図３】事前精算機の一例を示した正面図。
【図４】事前精算機の電気的構成を説明したブロック図。
【図５】出口の自動料金精算機の表示内容を説明した説明図。
【図６】本発明による入庫の処理手順を説明したフローチャート。
【図７】本発明による出庫の処理手順を説明したフローチャート。
【符号の説明】
ＰＫ　　　　　　駐車場の駐車スペース
ＰＮ　　　　　　入庫通路
ＰＵ　　　　　　出庫通路
ＴＤ　　　　　　駐車券発券機
ＡＰ　　　　　　入口ゲートバー
ＥＰＳ　　　　　駐車料金精算機
ＢＰ　　　　　　出口ゲートバー
ＭＣ，ＭＣ′　　マッチングコンピュータ
ＭＳ　　　　　　マッチングサーバ
ＣＰＳ　　　　　事前精算機
ＯＭ　　　　　　入庫車両
ＯＭ′　　　　　出庫車両
ＶＩＳ　　　　　入口ナンバープレート読取機
ＶＩＳ′　　　　出口ナンバープレート読取機
【図１】
2004030490.tif 000003
【図２】
2004030490.tif 000004
【図３】
2004030490.tif 000005
【図４】
2004030490.tif 000006
【図５】
2004030490.tif 000007
【図６】
2004030490.tif 000008
【図７】
2004030490.tif 000009